(57)【要約】【課題】エマージェンシーキーの取り外しの操作性を向上できる電子キーシステムの携帯機を提供する。【解決手段】エマージェンシーキー３側に備えたロック部３ｃ、バネ部３ｄおよび抜け防止部材３ｅ等と上側ケース２１および下側ケース２２に形成した係止部２１ｆ、２２ｄによりロック機構を構成する。そして、ロック解除用に携帯機本体２側にリリースピン２３を設け、リリースピン２３を操作することによりエマージェンシーキー３の取り外しが行えるようにする。このように、エマージェンシーキー３のヘッド部３ａとは異なる位置にロック機構を設けた構成にすることで、ヘッド部３ａの大型化を防止できると共に、リリースピン２３を押すという単純かつ容易な操作を行うだけで、エマージェンシーキー３を携帯機本体２から取り外すことが可能となる。これにより、スマートキー１におけるエマージェンシーキー３の取り外しの操作性を向上することが可能となる。【選択図】図２
2008025145.tif 000002
【特許請求の範囲】
【請求項１】
外部と無線通信を行う通信手段を内蔵する携帯機本体（２）と、
前記携帯機本体（２）に設けられた挿入部（２１ａ、２２ａ）に挿入されるキー部（３ｂ）と、前記キー部（３ｂ）に接続されたヘッド部（３ａ）とを有し、前記携帯機本体（２）に対して脱着可能とされるメカニカルキーにて構成されたエマージェンシーキー（３）と、を備える携帯機において、
前記携帯機本体（２）は、前記挿入部（２１ａ、２２ａ）が形成されていると共に、該挿入部（２１ａ、２２ａ）と連通する連通孔（２１ｄ、２２ｂ）が形成され、かつ前記挿入部（２１ａ、２２ａ）から前記キー部（３ｂ）が抜けることを規制する第１係止部（２１ｆ、２２ｄ）が形成されたケース（２１、２２）を有し、前記連通孔（２１ｄ、２２ｂ）を摺動するリリースピン（２３）を保持した構成とされ、
前記エマージェンシーキー（３）は、前記キー部（３ｂ）に保持され、前記リリースピン（２３）の方向に付勢される付勢手段（３ｄ、３ｍ）と、前記キー部（３ｂ）の前記挿入部（２１ａ、２２ａ）から外れる方向への移動を規制する第２係止部（３ｇ、３ｊ）とを備えた構成とされ、
前記リリーフピン（２３）に対して、該リリーフピン（２３）を押す方向に力を加えていない状態のときには、前記付勢手段（３ｄ、３ｍ）にて、前記第２係止部（３ｇ、３ｊ）が前記リリーフピン（２３）側に付勢されることで前記第１係止部（２１ｆ、２２ｄ）と係合し、前記キー部（３ｂ）の前記挿入部（２１ａ、２２ａ）から外れる方向への移動が規制され、
リリーフピン（２３）に対して、該リリーフピン（２３）を押す方向に力を加えると、前記第２係止部（３ｇ、３ｊ）が移動して該第２係止部（３ｇ、３ｊ）と前記第１係止部（２１ｆ、２２ｄ）との係合が解除され、前記エマージェンシーキー（３）が前記携帯機本体（２）から取り外せるように構成されていることを特徴とする電子キーシステムの携帯機。
【請求項２】
前記キー部（３ｂ）が挿入される中空部を有した筒状部材で構成されたロック部（３ｃ）を備え、該ロック部（３ｃ）に前記第２係止部（３ｇ）が備えられた構成とされていると共に、前記ロック部（３ｃ）のうち前記リリースピン（２３）と対向する壁面の内壁面と前記キー部（３ｂ）との間に前記付勢手段を構成するバネ部（３ｄ）が備えられていることを特徴とする請求項１に記載の電子キーシステムの携帯機。
【請求項３】
前記第２係止部（３ｇ）のうち前記キー部（３ｂ）の前記挿入部（２１ａ、２２ａ）の挿入方向前方に位置する下面はテーパ面とされていることを特徴とする請求項２に記載の電子キーシステムの携帯機。
【請求項４】
前記キー部（３ｂ）のうち、前記ロック部（３ｃ）を挟んで前記ヘッド部（３ａ）の反対側には、前記ロック部（３ｃ）が前記キー部（３ｂ）から抜けることを防止する抜け防止部材（３ｅ）が配置されていることを特徴とする請求項２または３に記載の電子キーシステムの携帯機。
【請求項５】
前記キー部（３ｂ）には、前記リリースピン（２３）の移動方向と同方向に空けられた貫通孔（３ｎ）が形成され、該貫通孔（３ｎ）に前記第２係止部を構成するフランジが形成されたピン（３ｊ）の軸部が挿入されると共に、前記フランジと前記キー部（３）との間に前記付勢手段を構成するスプリング（３ｍ）が備えられていることを特徴とする請求項１に記載の電子キーシステムの携帯機。
【請求項６】
前記ピン（３ｊ）の軸部のうち、前記キー部（３ｂ）から露出する先端位置には該ピン（３ｊ）が前記貫通孔（３ｎ）から抜けることを防止する抜け防止部材（３ｐ）が備えられていることを特徴とする請求項５に記載の電子キーシステムの携帯機。
【請求項７】
前記ピン（３ｊ）の軸部のうち、前記キー部（３ｂ）から露出する先端位置には溝部（３ｐ）が形成され、該溝部（３ｐ）にＣリング状に構成された前記抜け防止部材（３ｐ）が嵌め込まれていることを特徴とする請求項６に記載の電子キーシステムの携帯機。
【請求項８】
前記ピン（３ｊ）のフランジの下面がテーパ面とされていることを特徴とする請求項５ないし７のいずれか１つに記載の電子キーシステムの携帯機。
【請求項９】
前記挿入部（２１ａ、２２ｂ）は、該挿入部（２１ａ、２２ｂ）の入口側において段付き部が構成されており、該段付き部内において前記ケース（２１、２２）の内壁面が突出させれることで前記第１係止部（２１ｆ、２２ｄ）が構成されていることを特徴とする請求項１ないし８のいずれか１つに記載の電子キーシステムの携帯機。
【発明の詳細な説明】
【技術分野】
【０００１】
本発明は、電子キーシステムの携帯機に関するものである。
【背景技術】
【０００２】
従来、スマートキーシステム（登録商標）やキーレスエントリーシステム等のメカニカルキーの代わりに、電子キーを用いて車両等のドアのロック・アンロック等の操作を行う電子キーシステムがある。この電子キーシステムでは、電子キーとしての携帯機をユーザが携帯することにより、例えば、車両に近づいたり車両から遠ざかると自動的にアンロック・ロックが行えたり、乗車したときに携帯機に記憶されているＩＤコードと車両に記憶されているＩＤコードとの照合に基づきイグニッションをオンさせられるようになっている。電子キーとしての携帯機の本体（以下、携帯機本体という）には、相手側と通信する通信手段が内蔵されていると共に、携帯機による通信が行えないなどの非常時に使用されるメカニカルキーにて構成されたエマージェンシーキーが収納されている（例えば、特許文献１、２、３参照）。
【０００３】
図６は、従来の電子キーシステムの携帯機１００の一例を示した斜視図である。この図に示されるように、携帯機本体１０１の一角部に挿入部１０１ａが備えられ、この挿入部１０１ａにエマージェンシーキー１０２のキー部１０２ａが差し込めるようになっている。エマージェンシーキー１０２には突起部１０２ｂと共に紙面左右方向に摺動できるフック部（図示せず）が内蔵され、携帯機本体１０１側にはフック部が挿入される凹部（図示せず）が形成されている。このような構成により、エマージェンシーキー１０２を携帯機本体１０１の挿入部１０１ａに挿入すると、エマージェンシーキー１０２のフック部が携帯機本体１０１の凹部と嵌合してエマージェンシーキー１０２が携帯機本体１０１に固定させられ、突起部１０２ｂを引っ張ると、フック部が凹部から抜けてエマージェンシーキー１０２が携帯機本体１０１から抜き取れるようになっている。
【特許文献１】特開２００４−６８４１７号公報
【特許文献２】特開２００３−３０７０５４号公報
【特許文献３】特開２００４−４８３４２号公報
【発明の開示】
【発明が解決しようとする課題】
【０００４】
しかしながら、図６に示すように、従来の電子キーシステムの携帯機１００では、エマージェンシーキー１０２に突起部１０２ｂを設け、この突起部１０２ｂをスライドさせることによりロック機構を解除し、エマージェンシーキー１０２を携帯機本体１０１から取り外せるようにしているが、この突起部１０２ｂが小さく、操作性が悪いという問題がある。突起部１０２ｂを大型なものにすれば良いが、突起部１０２ｂをあまり大きくするとエマージェンシーキー１０２の大型化に繋がり、また携帯機１００の外観も悪化させてしまう。また、エマージェンシーキー１０２のヘッド部内にフック部などのロック機構が内蔵された構造となり、ヘッド部の大型化にも繋がる。
【０００５】
本発明は上記点に鑑みて、エマージェンシーキーの取り外しの操作性を向上できる電子キーシステムの携帯機を提供することを目的とする。
【課題を解決するための手段】
【０００６】
上記目的を達成するため、本発明では、携帯機本体（２）は、挿入部（２１ａ、２２ａ）が形成されていると共に、該挿入部（２１ａ、２２ａ）と連通する連通孔（２１ｄ、２２ｂ）が形成され、かつ挿入部（２１ａ、２２ａ）からキー部（３ｂ）が抜けることを規制する第１係止部（２１ｆ、２２ｄ）が形成されたケース（２１、２２）を有し、連通孔（２１ｄ、２２ｂ）を摺動するリリースピン（２３）を保持した構成とされる。また、エマージェンシーキー（３）は、キー部（３ｂ）に保持され、リリースピン（２３）の方向に付勢される付勢手段（３ｄ、３ｍ）と、キー部（３ｂ）の挿入部（２１ａ、２２ａ）から外れる方向への移動を規制する第２係止部（３ｇ、３ｊ）とを備えた構成とされる。そして、リリーフピン（２３）に対して、該リリーフピン（２３）を押す方向に力を加えていない状態のときには、付勢手段（３ｄ、３ｍ）にて、第２係止部（３ｇ、３ｊ）がリリーフピン（２３）側に付勢されることで第１係止部（２１ｆ、２２ｄ）と係合し、キー部（３ｂ）の挿入部（２１ａ、２２ａ）から外れる方向への移動が規制されるようにし、リリーフピン（２３）に対して、該リリーフピン（２３）を押す方向に力を加えると、第２係止部（３ｇ、３ｊ）が摺動して該第２係止部（３ｇ、３ｊ）と第１係止部（２１ｆ、２２ｄ）との係合が解除され、エマージェンシーキー（３）が携帯機本体（２）から取り外せるように構成することを特徴としている。
【０００７】
このように、エマージェンシーキー（３）のキー部（３ｂ）に第２係止部（３ｇ、３ｊ）を設けると共に、ロック解除用に携帯機本体（２）側にリリースピン（２３）を設け、リリースピン（２３）を操作することによりエマージェンシーキー（３）の取り外しが行えるようにしている。このように、エマージェンシーキー（３）のヘッド部（３ａ）とは異なる位置にロック機構を設けた構成にすることで、ヘッド部（３ａ）の大型化を防止できると共に、リリースピン（２３）を押すという単純かつ容易な操作を行うだけで、エマージェンシーキー（３）を携帯機本体（２）から取り外すことが可能となる。これにより、携帯機におけるエマージェンシーキー（３）の取り外しの操作性を向上することが可能となる。
【０００８】
例えば、キー部（３ｂ）が挿入される中空部を有した筒状部材で構成されたロック部（３ｃ）を備え、該ロック部（３ｃ）に第２係止部（３ｇ）が備えられた構成にすると共に、ロック部（３ｃ）のうちリリースピン（２３）と対向する壁面の内壁面とキー部（３ｂ）との間に付勢手段を構成するバネ部（３ｄ）を備えた構成とすることができる。
【０００９】
この場合、第２係止部（３ｇ）のうちキー部（３ｂ）の挿入部（２１ａ、２２ａ）の挿入方向前方に位置する下面をテーパ面とすると好ましい。
【００１０】
このような構成とすると、キー部（３ｂ）を挿入部（２２ａ）に挿入する際に、テーパ面とされた部分によりエマージェンシーキー（３）を挿入する力が第２係止部（３ｇ）を押し退ける力に変換され、ユーザが第２係止部（３ｇ）を操作しなくてもエマージェンシーキー（３）を携帯機本体（２）に挿し込めることが可能となる。
【００１１】
さらに、この場合、キー部（３ｂ）のうち、ロック部（３ｃ）を挟んでヘッド部（３ａ）の反対側に、ロック部（３ｃ）がキー部（３ｂ）から抜けることを防止する抜け防止部材（３ｅ）を配置する構成とすることができる。
【００１２】
また、キー部（３ｂ）に、リリースピン（２３）の移動方向と同方向に空けられた貫通孔（３ｎ）を形成すると共に、該貫通孔（３ｎ）に第２係止部を構成するフランジが形成されたピン（３ｊ）の軸部を挿入し、フランジとキー部（３）との間に付勢手段を構成するスプリング（３ｍ）を備えた構成とすることもできる。
【００１３】
この場合、ピン（３ｊ）の軸部のうち、キー部（３ｂ）から露出する先端位置にピン（３ｊ）が貫通孔（３ｎ）から抜けることを防止する抜け防止部材（３ｐ）を備えることができる。例えば、ピン（３ｊ）の軸部のうち、キー部（３ｂ）から露出する先端位置に溝部（３ｐ）を形成しておき、該溝部（３ｐ）にＣリング状に構成された抜け防止部材（３ｐ）を嵌め込む構造とすることができる。
【００１４】
さらに、この場合においても、ピン（３ｊ）のフランジの下面がテーパ面とすることで、ユーザが第２係止部（３ｊ）を操作しなくてもエマージェンシーキー（３）を携帯機本体（２）に挿し込めることが可能となる。
【００１５】
一方、第１係止部（２１ｆ、２２ｄ）に関しては、例えば、挿入部（２１ａ、２２ｂ）の入口側において段付き部を形成しておき、該段付き部内においてケース（２１、２２）の内壁面が突出させれることで第１係止部（２１ｆ、２２ｄ）を構成することができる。
【００１６】
なお、上記各手段の括弧内の符号は、後述する実施形態に記載の具体的手段との対応関係を示すものである。
【発明を実施するための最良の形態】
【００１７】
以下、本発明の実施形態について図に基づいて説明する。なお、以下の各実施形態相互において、互いに同一もしくは均等である部分には、図中、同一符号を付してある。
【００１８】
（第１実施形態）
本実施形態では、電子キーシステムとしてスマートキーシステム（登録商標）を例に挙げ、スマートキーシステムの携帯機として使用されるスマートキーに本発明を適用した場合について説明する。なお、スマートキーシステムとは、例えば、車両に搭載され、ユーザがスマートキーを所持していれば、メカニカルキーを使用することなく、ドアのロック・アンロック、エンジンのスタート等の操作ができるシステムである。
【００１９】
図１に、本発明の第１実施形態におけるスマートキー１の外観斜視図を示す。また、図２（ａ）に、図１に示すスマートキー１の分解斜視図を示すと共に、図２（ｂ）に、図２（ａ）に示すスマートキー１の構成部品の一部を組立てた後の斜視図を示す。以下、これらの図を参照して、スマートキー１の構成について説明する。
【００２０】
図１、２に示すように、本実施形態のスマートキー１は、携帯機本体２と、この携帯機本体２の内部に収容されたエマージェンシーキー３とを備えた構成とされている。
【００２１】
携帯機本体２は、電子キーとして機能するものであり、上側ケース２１、下側ケース２２、リリースピン２３等により構成されている。この携帯機本体２の外形は上側ケース２１、下側ケース２２にて構成され、この携帯機本体２にエマージェンシーキー３を挿し込むことにより、スマートキー１が構成される。
【００２２】
上側ケース２１と下側ケース２２は、薄型の長方体を２つに分割したような形状であり、エマージェンシーキー３が配置される側の一辺と対向する辺の両側の各角部が丸められた形状とされている。このように長方体として構成された上側ケース２１および下側ケース２２における一辺は平坦（直線状）とされており、この平坦とされた部分にエマージェンシーキー３のヘッド部３ａが配置されることで、各角部が丸められた長方体のスマートキー１が構成されている。
【００２３】
具体的には、図２に示すように、上側ケース２１および下側ケース２２には、平坦部分から長方体の長手方向に延びるように挿入部（挿入溝）２１ａ、２２ａが形成されており、この挿入部２２ａ内にエマージェンシーキー３のキー部３ｂが挿入される構造とされている。そして、エマージェンシーキー３のキー部３ｂを挿入部２１ａ、２２ａに完全に挿入すると、エマージェンシーキー３のヘッド部３ａの底面が上側ケース２１および下側ケース２２の平坦部分の壁面と接する。このため、エマージェンシーキー３のヘッド部３ａ、上側ケース２１および下側ケース２２にて、スマートキー１の外形が構成され、エマージェンシーキー３のヘッド部３ａが突出した略長方体となる。
【００２４】
そして、これら上側ケース２１および下側ケース２２内に、図示しないが、外部と無線通信を行う通信回路や通信アンテナなどの通信部（通信手段）が備えられた回路基板および通信部を駆動するための電池やこれらを防水するためのシール材が収容される構成となっている。
【００２５】
通信部は、車両側の通信部（図示せず）と通信を行えるように構成されており、ユーザがスマートキー１を所持した状態で車両に近づき、スマートキーシステムのセンシングエリアに入ると、車両側からのＩＤ要求信号を受信し、それに対応して自動的にＩＤコード信号を出力する。これにより、車両側でＩＤ認証が行われ、それが一致するとドアのロック・アンロック信号待ち状態に移行し、その状態にてロック・アンロック信号を得ることにより、ロック・アンロックを実行する。
【００２６】
また、上側ケース２１には、車両におけるドアのロック・アンロックを行うための押しボタン式の操作スイッチ２１ｂ、２１ｃが備えられている。このため、これら操作スイッチ２１ｂ、２１ｃが押下された場合にも、それに伴う信号が通信部を介して外部に出力され、ドアのロック・アンロックが行えるようになっている。
【００２７】
さらに、上側ケース２１および下側ケース２２のうちエマージェンシーキー３のヘッド部３ａ近傍の側面には、挿入部２１ａ、２２ａと外部とを繋ぐ半円形の連通溝２１ｄ、２２ｂが形成されている。上側ケース２１および下側ケース２２を一体化させると、これら２つの半円形の連通溝２１ｄ、２２ｂが円形状の連通穴となり、この連通穴内にリリースピン２３が配置された構造とされている。なお、連通溝２１ｄ、２２ｂは外部に近づくに連れて径が拡大するような形状とされており、これら連通溝２１ｄ、２２ｂが合わさって構成された連通穴の壁面により、リリースピン２３の先端位置が配置される凹部が構成され、この凹部を利用してリリースピン２３の先端位置を上側ケース２１および下側ケース２２の内側方向に押し込める構造になっている。
【００２８】
リリースピン２３は、両先端位置において径が拡大された形状（フランジ形状）の部材で構成され、両先端位置の間の軸部分が上側ケース２１および下側ケース２２に形成された連通溝２１ｄ、２２ｂのうちリリースピン２３の軸部よりも若干径が大きくされた部分に配置されることで、両先端位置の一方が上側ケース２１および下側ケース２２の内部に位置し、他方が上側ケース２１および下側ケース２２の外部に露出した状態となっている。このため、上側ケース２１および下側ケース２２から露出した端部を押すことで、リリースピン２３の他端をさらに上側ケース２１および下側ケース２２の内側方向に押し込められるようになっている。ただし、リリースピン２３の両先端位置の径は、上側ケース２１および下側ケース２２に形成された連通溝２１ｄ、２２ｂの径（具体的には、連通穴のうちリリースピン２３の軸部よりも若干径が大きくされた部分の径）よりも大きくされているため、上側ケース２１および下側ケース２２を一体化したときに、リリースピン２３が連通溝２１ｄ、２２ｂから脱落しない構造となる。
【００２９】
さらに、上側ケース２１および下側ケース２２には、挿入部２１ａ、２２ａの入口側において、段付き部とされることで溝寸法が拡大されている。
【００３０】
段付き部は、２段階の段付き形状とされ、最も上側ケース２１および下側ケース２２の外部に近い側（エマージェンシーキー３のヘッド部３ａ側）に位置する１段目を構成する内壁面が後述するロック部３ｃの摺動用のガイド部２１ｅ、２２ｃとなる。このガイド部２１ｅ、２２ｃを構成する上側ケース２１および下側ケース２２の内壁面には、連通溝２１ｄ、２２ｂの近傍において、これら連通溝２１ｄ、２２ｂ側に突出させられた係止部（第１係止部）２１ｆ、２２ｄが備えられている。この係止部２１ｆ、２２ｄは、ロック機構の一部を構成するものであり、この係止部２１ｆ、２２ｄによりエマージェンシーキー３の抜けが防止できるようになっている。
【００３１】
また、段付き部の２段目を構成する壁面２１ｇ、２２ｅは、エマージェンシーキー３に備えられる後述する抜け防止部材３ｅを収容するための空間を構成するものである。
【００３２】
エマージェンシーキー３は、ヘッド部３ａおよびキー部３ｂを基本構造とし、さらにロック部３ｃ、バネ部３ｄ、抜け防止部材３ｅおよび固定ピン３ｆを有した構成とされている。
【００３３】
ヘッド部３ａは、携帯機本体２から露出する部分であり、このヘッド部３ａをユーザが摘むことでエマージェンシーキー３の携帯機本体２からの取り外しが行われる。すなわち、このヘッド部３ａが上側ケース２１および下側ケース２２における平坦部分に配置され、上側ケース２１および下側ケース２２から外に露出させられる。ヘッド部３ａのうち外に露出する部分の各面は、エマージェンシーキー３が携帯機本体２に挿入されている状態のときに、上側ケース２１のうち操作スイッチ２１ｂ、２１ｃが備えられた表面、上側ケース２１および下側ケース２２の側面、下側ケース２２の裏面と面一となる。
【００３４】
キー部３ｂは、ヘッド部３ａから突き出すように設けられ、このキー部３ｂに車両毎のキーパターンが形成される。キー部３ｂの外形は、上側ケース２１および下側ケース２２に形成された挿入部２１ａ、２２ａと対応した形状となっており、紙面上方から挿入部２１ａ、２２ａの延設方向に沿ってキー部３ｂが挿入される。
【００３５】
ロック部３ｃは、中空部を有した四角筒状で構成されており、その中空部内にキー部３ｂが挿入されている。このロック部３ｃは、紙面左右方向、つまりリリースピン２３の軸方向において、上側ケース２１および下側ケース２２に形成されたガイド部２１ｅ、２２ｃを摺動するように構成されている。
【００３６】
また、ロック部３ｃのうち上側ケース２１の表面と対向する面および下側ケース２２の裏面と対向する面には、その面から垂直方向に突出させられた係止部（第２係止部）３ｇが備えられている。この係止部３ｇがガイド部２１ｅ、２２ｃの内壁面に沿って摺動し、紙面左右方向、つまりリリースピン２３の軸方向において移動することで、上側ケース２１および下側ケース２２に形成された係止部２１ｆ、２２ｄと係合し、エマージェンシーキー３が携帯機本体２から抜けないようにされる。この係止部３ｇは三角形状とされ、エマージェンシーキー３のヘッド部３ａ側となる上面がヘッド部３ａの下面と同様に、キー部３ｂの挿入方向に対して垂直とされている。そして、係止部３ｇのうち上面と対向する下面はテーパ面とされている。このため、キー部３ｂを挿入部２１ａ、２２ａに挿入する際に、ロック部３ｃが係止部２１ｆ、２２ｄと接触すると、テーパ面とされた部分によりエマージェンシーキー３を挿入する力がロック部３ｃを図２の紙面右側に押し退ける力に変換され、ユーザがロック部３ｃを操作しなくてもエマージェンシーキー３を携帯機本体２に挿し込めるようになっている。
【００３７】
バネ部３ｄは、板バネにより構成されており、ロック部３ｃのうちリリースピン２３側の壁面の内壁面とキー部３ｂのうちリリースピン２３側の壁面との間に配置されている。このバネ部３ｄは、ロック部３ｃをキー部３ｂからリリースピン２３側に付勢する不正手段として設けられている。このため、キー部３ｂを挿入部２１ａ、２２ａに挿入したときに、ロック部３ｃがキー部３ｂからリリースピン２３側に付勢され、ロック部３ｃに備えられた係止部３ｇが上側ケース２１および下側ケース２２に備えられた係止部２１ｆ、２２ｄと係合し、エマージェンシーキー３が携帯機本体２に固定されるようになっている。
【００３８】
抜け防止部材３ｅも中空部を有した四角筒状で構成され、その中空部内にキー部３ｂが挿入されている。この抜け防止部材３ｅおよびキー部３ｂには、穴部３ｈ、３ｉが形成されており、これら穴部３ｈ、３ｉ内に固定ピン３ｆが挿し込まれることで、抜け防止部材３ｅがキー部３ｂに固定されている。この抜け防止部材３ｅにより、ロック部３ｃがキー部３ｂから抜けたり、バネ部３ｄがロック部３ｃから脱落したりすることを防止されている。
【００３９】
続いて、上記のように構成されたスマートキー１におけるエマージェンシーキー３の脱着方法について説明する。
【００４０】
図３は、エマージェンシーキー３を携帯機本体２から取り外すときの様子を示した部分部分斜視図であり、図３（ａ）は取り外し前の様子（以下、エマージェンシーキーロック状態という）、図３（ｂ）は取り外し後の様子（以下、エマージェンシーキーリリース状態という）を示したものである。図４（ａ）、（ｂ）は、それぞれ、図３（ａ）、（ｂ）の部分拡大図である。また、図５（ａ）〜（ｃ）は、エマージェンシーキーロック状態を示したものであり、図５（ａ）は、スマートキー１を正面から見たときの部分透過断面図、図５（ｂ）は、スマートキー１を側面から見たときの部分透過図、図５（ｃ）は、スマートキー１を正面から見たときのロック部３ｃ近傍のみを記した部分透過図である。図５（ｄ）は、エマージェンシーキーリリース状態を示しており、スマートキー１の正面から見た部分透過図である。
【００４１】
図３（ａ）、図４（ａ）および図５（ａ）〜（ｃ）に示すように、エマージェンシーキー３を携帯機本体２に収容しているときには、バネ部３ｄの弾性力によりロック部３ｃが紙面左側、つまりリリースピン２３側に付勢されている。このため、ロック部３ｃの係止部３ｇが上側ケース２１および下側ケース２２の係止部２１ｆ、２２ｄと係合する。そして、ロック部３ｃの下方に抜け防止部材３ｅが備えられ、ロック部３ｃのキー部３ｂからの抜けが防止されているため、キー部３ｂが携帯機本体２に固定された状態となる。
【００４２】
なお、この状態においては、ロック部３ｃにてリリースピン２３が紙面左側に移動させられた状態となるため、リリースピン２３の先端部が突出した状態となる。
【００４３】
そして、図３（ｂ）、図４（ｂ）および図５（ｄ）に示すように、この状態からユーザがリリースピン２３の先端部を押し込むと、リリースピン２３を押し込む力がバネ部３ｄの弾性力に打ち勝ち、ロック部３ｃがガイド部２１ｅ、２２ｃに沿って紙面右方向に摺動させられる。これにより、ロック部３ｃの係止部３ｇと上側ケース２１および下側ケース２２の係止部２１ｆ、２２ｄとの係合が外れる。このため、ユーザがエマージェンシーキー３のヘッド部３ａを摘んでキー部３ｂを挿入部２１ａ、２２ａから引き出すことが可能となり、エマージェンシーキー３を携帯機本体２から取り外すことができる。
【００４４】
一方、エマージェンシーキー３の携帯機本体２への挿し戻しは、エマージェンシーキー３を上側ケース２１および下側ケース２２の挿入部２１ａ、２２ａに挿入することにより行われる。エマージェンシーキー３を挿入部２１ａ、２２ａに挿入していくと、バネ部３ｄの弾性力によってロック部３ｃが紙面左側に押し戻された状態となっているため、ロック部３ｃの係止部３ｇの下面が上側ケース２１および下側ケース２２の係止部２１ｆ、２２ｄの上面と接触する。このとき、係止部３ｇの下面がテーパ面とされているため、テーパ面が係止部２１ｆ、２２ｄに接触したときに、エマージェンシーキー３を挿入するときの力がロック部３ｃを押し退ける力に変換される。このため、ユーザがロック部３ｃを操作しなくてもエマージェンシーキー３を携帯機本体２に挿し込むことができる。
【００４５】
以上説明したように、本実施形態のスマートキーシステムに使用されるスマートキー１では、エマージェンシーキー３側に備えたロック部３ｃ、バネ部３ｄおよび抜け防止部材３ｅ等と上側ケース２１および下側ケース２２に形成した係止部２１ｆ、２２ｄによりロック機構を構成している。そして、ロック解除用に携帯機本体２側にリリースピン２３を設け、リリースピン２３を操作することによりエマージェンシーキー３の取り外しが行えるようにしている。
【００４６】
このように、エマージェンシーキー３のヘッド部３ａとは異なる位置にロック機構を設けた構成にすることで、ヘッド部３ａの大型化を防止できると共に、リリースピン２３を押すという単純かつ容易な操作を行うだけで、エマージェンシーキー３を携帯機本体２から取り外すことが可能となる。これにより、スマートキー１におけるエマージェンシーキー３の取り外しの操作性を向上することが可能となる。
【００４７】
また、このようなリリースピン２３は、スマートキー１の外形の一部を構成するものであるが、単に押すという操作が行えれば済むものであるため小さくて良く、従来のエマージェンシーキーに備えられたフック操作用の突起のように部分的に突き出した構造ではないため、スマートキー１の外観を悪化させることもない。特に、リリースピン２３の先端部が連通溝２１ｄ、２２ｂ内に入り込むような構造とすれば、ほとんど突出しなくても済み、外観の悪化の心配をより無くすことができる。
【００４８】
（第２実施形態）
本発明の第２実施形態について説明する。本実施形態のスマートキー１は、第１実施形態に対してロック機構の構成を変更したものであり、その他に関しては第１実施形態と同様であるため、異なる部分についてのみ説明する。なお、本実施形態のスマートキー１の外観は、図１に示す第１実施形態と同様である。
【００４９】
図６（ａ）に、本実施形態のスマートキー１の分解斜視図を示すと共に、図６（ｂ）に、図６（ａ）に示すスマートキー１の構成部品の一部を組立てた後の斜視図を示す。以下、これらの図を参照して、スマートキー１の構成について説明する。
【００５０】
図６（ａ）に示すように、本実施形態のロック機構は、ピン３ｊと抜け防止部材３ｋおよびスプリング３ｍにより構成されている。
【００５１】
ピン３ｊは、第１実施形態で示した係止部３ｇの役割を果たすものであり、軸部がキー部３ｂに形成された摺動用の貫通孔３ｎ内に挿入された構成とされる。ピン３ｊのうちリリースピン２３側の端部はフランジとされており、貫通孔３ｎ内でのピン３ｊの摺動量が規制できるようになっている。ピン３ｊの軸部には溝部３ｐが形成されている。この溝部３ｐは、貫通孔３ｎを通ってキー部３ｂの反対側に露出する位置に形成されている。
【００５２】
抜け防止部材３ｋは、Ｃリング状の部材で構成され、溝部３ｐ内に嵌め込まれる。ピン３ｊの軸部がキー部３ｂにおける貫通孔３ｎ内に挿入されたのち、この抜け防止部材３ｋが溝部３ｐに嵌め込まれることで、ピン３ｊが貫通孔３ｎ内を摺動可能な状態でキー部３ｂに保持されている。
【００５３】
スプリング３ｍは、ピン３ｊをリリースピン２３側に付勢するためのものである。スプリング３ｍの中心部にピン３ｊの軸部が挿入されることで、スプリング３ｍがピン３ｊのフランジ部分とキー部３ｂの間に配置され、スプリング３ｍのバネ力により、ピン３ｊがリリースピン２３側に付勢される。なお、スプリング３ｍによってピン３ｊがリリースピン２３側に付勢されても、ピン３ｊにおけるリリースピン２３側への移動量は抜け防止部材３ｋによって規制されるため、一定量に保たれる。
【００５４】
なお、上側ケース２１および下側ケース２２の基本的な構造は第１実施形態と同様であるが、本実施形態では、ロック機構がエマージェンシーキー３側のピン３ｊ、抜け防止部材３ｋおよびスプリング３ｍと上側ケース２１および下側ケース２２側の係止部２１ｆ、２２ｄのみで済むため、第１実施形態で必要であった抜け防止部材３ｅを収容するための壁面２１ｇ、２２ｅを構成する２段目の段付き部は必要なくなる。
【００５５】
続いて、上記のように構成されたスマートキー１におけるエマージェンシーキー３の脱着方法について説明する。
【００５６】
図７は、エマージェンシーキー３を携帯機本体２から取り外すときの様子を示した部分部分斜視図であり、図７（ａ）はエマージェンシーキーロック状態、図７（ｂ）はエマージェンシーキーリリース状態を示したものである。図８（ａ）、（ｂ）は、それぞれ、図７（ａ）、（ｂ）の部分拡大図である。また、図９（ａ）、（ｂ）は、エマージェンシーキーロック状態を示したものであり、それぞれ、スマートキー１を正面から見たときの部分断面図と部分透過図である。図９（ｃ）、（ｄ）は、エマージェンシーキーリリース状態を示したものであり、それぞれ、スマートキー１の正面から見たときの部分断面図と部分透過図である。
【００５７】
図７（ａ）、図８（ａ）および図９（ａ）、（ｂ）に示すように、エマージェンシーキー３を携帯機本体２に収容しているときには、スプリング３ｍの弾性力によりピン３ｊが紙面左側、つまりリリースピン２３側に付勢されている。このため、ピン３ｊのフランジ部分が上側ケース２１および下側ケース２２の係止部２１ｆ、２２ｄと係合する。したがって、キー部３ｂが携帯機本体２に固定された状態となる。
【００５８】
なお、この状態においては、ロック部３ｃにてリリースピン２３が紙面左側に移動させられた状態となるため、リリースピン２３の先端部が突出した状態となる。
【００５９】
そして、図７（ｂ）、図８（ｂ）および図８（ｃ）、（ｄ）に示すように、この状態からユーザがリリースピン２３の先端部を押し込むと、リリースピン２３を押し込む力がスプリング３ｍの弾性力に打ち勝ち、ピン３ｊが貫通孔３ｎに沿って紙面右方向に摺動させられる。これにより、ピン３ｊのフランジ部分と上側ケース２１および下側ケース２２の係止部２１ｆ、２２ｄとの係合が外れる。このため、ユーザがエマージェンシーキー３のヘッド部３ａを摘んでキー部３ｂを挿入部２１ａ、２２ａから引き出すことが可能となり、エマージェンシーキー３を携帯機本体２から取り外すことができる。
【００６０】
一方、エマージェンシーキー３の携帯機本体２への挿し戻しは、エマージェンシーキー３を上側ケース２１および下側ケース２２の挿入部２１ａ、２２ａに挿入することにより行われる。ピン３ｊを押しながらエマージェンシーキー３を挿入部２１ａ、２２ａに挿入すると、エマージェンシーキー３が携帯機本体２に挿し込むことができる。
【００６１】
なお、ここではピン３ｊの先端にフランジを設けただけの構造としたが、フランジの下面をテーパ面とすれば、エマージェンシーキー３を挿入部２１ａ、２２ａに挿入するに際し、フランジの下面のテーパ面が係止部２１ｆ、２２ｄに接触したときに、エマージェンシーキー３を挿入するときの力がピン３ｊを押し退ける力に変換される。このため、ユーザがピン３ｊを操作しなくてもエマージェンシーキー３を携帯機本体２に挿し込むことができる。
【００６２】
以上説明した本実施形態のスマートキー１によっても、上記第１実施形態と同様の効果を得ることができる。
【００６３】
（他の実施形態）
（１）上記第１、第２実施形態で示したスマートキー１は、本発明を適用したものの一例であり、他の構造としても構わない。例えば、スマートキー１の外形を各角部を丸めた略長方体としたが、楕円形状や長円形状としても構わない。また、エマージェンシーキー３におけるヘッド部３ａが突き出た形状としているが、ヘッド部３ａと携帯機本体２により、長方体や楕円形状、長円形状となるようにしても良い。
【００６４】
（２）上記した実施形態では、スマートキーシステムの携帯機を例として説明したが、スマートキーシステムに限らず、キーレスエントリーシステム等の他の電子キーシステムの携帯機においても、本発明を適用できる。
【００６５】
また、電子キーシステムは、車両に搭載されたものに限らず、他の用途に採用されている電子キーシステムにおいても、本発明を適用することができる。例えば、家の玄関等のドアに採用された電子キーシステムの携帯機に本発明を適用することもできる。
【図面の簡単な説明】
【００６６】
【図１】本発明の第１実施形態に係るスマートキー１の外観斜視図である。
【図２】（ａ）は、図１に示すスマートキー１の分解斜視図、（ｂ）は、（ａ）に示すスマートキー１の構成部品の一部を組立てた後の斜視図である。
【図３】（ａ）、（ｂ）は、それぞれ、エマージェンシーキーロック状態とエマージェンシーキーリリース状態を示した部分分解斜視図である。
【図４】図３（ａ）、（ｂ）の部分拡大図である。
【図５】（ａ）は、スマートキー１を正面から見たときの部分透過断面図、（ｂ）は、スマートキー１を側面から見たときの部分透過図、（ｃ）は、スマートキー１を正面から見たときのロック部３ｃ近傍のみを記した部分透過図、（ｄ）は、スマートキー１の正面から見た部分透過図である。
【図６】（ａ）は、本発明の第２実施形態に係るスマートキー１の分解斜視図、（ｂ）は、（ａ）に示すスマートキー１の構成部品の一部を組立てた後の斜視図である。
【図７】（ａ）は、エマージェンシーキーロック状態を示す部分部分斜視図、（ｂ）は、エマージェンシーキーリリース状態を示す部分部分斜視図である。
【図８】図７（ａ）、（ｂ）の部分拡大図である。
【図９】（ａ）、（ｂ）は、エマージェンシーキーロック状態において、スマートキー１を正面から見たときの部分断面図と部分透過図、（ｃ）、（ｄ）は、エマージェンシーキーリリース状態において、スマートキー１の正面から見たときの部分断面図と部分透過図である。
【図１０】従来の電源キーシステムの携帯機１００の斜視図である。
【符号の説明】
【００６７】
１…スマートキー、２…携帯機本体、３…エマージェンシーキー、３ａ…ヘッド部、
３ｂ…キー部、３ｃ…ロック部、３ｄ…バネ部、３ｅ…防止部材、３ｆ…固定ピン、
３ｇ…係止部、３ｈ…穴部、３ｊ…ピン、３ｋ…防止部材、３ｍ…スプリング、
３ｎ…貫通孔、３ｐ…溝部、２１…上側ケース、２１ａ…挿入部、
２１ｂ、２１ｃ…操作スイッチ、２１ｄ…連通溝、２１ｅ…ガイド部、
２１ｆ…係止部、２１ｇ…壁面、２２…下側ケース、２２ａ…挿入部、
２２ｂ…連通溝、２２ｃ…壁面、２２ｄ…係止部、２２ｅ…壁面、２３…リリースピン。
【図１】
2008025145.tif 000003
【図２】
2008025145.tif 000004
【図３】
2008025145.tif 000005
【図４】
2008025145.tif 000006
【図５】
2008025145.tif 000007
【図６】
2008025145.tif 000008
【図７】
2008025145.tif 000009
【図８】
2008025145.tif 000010
【図９】
2008025145.tif 000011
【図１０】
2008025145.tif 000012